(57)【特許請求の範囲】
【請求項１】
駆動用電動機１をタップ下降方向及び上方向へ回動させる下降用及び上昇用電磁接触器５Ｌ，５Ｒと、制御用カムスイッチ８4により制御され下降用又は上昇用電磁接触器５Ｌ，５Ｒの動作を解除し駆動用電動機１を下降又は上昇の１ステップ位置に停止させる歩進用電磁接触器６とを備えたタップ切換装置の電動制御回路であって、
下降用押ボタンスイッチ７Ｌa、上昇用押ボタンスイッチ７Ｒb、歩進用電磁接触器６の接点６b1、下限リミットスイッチ４Ｌ1、上昇用電磁接触器５Ｒの接点５Ｒb、下降用電磁接触器５Ｌの直列回路からなる下降用電磁接触器５Ｌを動作させる回路と、
前記直列に接続されている下降用押ボタンスイッチ７Ｌaと上昇用押ボタンスイッチ７Ｒbに対し並列に接続された下降用電磁接触器５Ｌの接点５Ｌa1からなる下降用電磁接触器５Ｌの自己保持回路と、
上昇用押ボタンスイッチ７Ｒa、下降用押ボタンスイッチ７Ｌb、歩進用電磁接触器６の接点６b2、上限リミットスイッチ４Ｒ1、下降用電磁接触器５Ｌの接点５Ｌbと上昇用電磁接触器５Ｒの直列回路からなる上昇用電磁接触器５Ｒを動作させる回路と、
前記直列に接続されている上昇用押ボタンスイッチ７Ｒaと下降用押ボタンスイッチ７Ｌbに対し並列に接続された上昇用電磁接触器の接点５Ｒa1からなる上昇用電磁接触器５Ｒの自己保持回路と、
前記制御用カムスイッチ８4、並列に接続された下降用と上昇用電磁接触器５Ｌ，５Ｒの各接点５Ｌa3，５Ｒa3、歩進用電磁接触器６の直列回路からなる歩進用電磁接触器駆動回路と、
前記下降用電磁接触器５Ｌを動作させる回路の直列に接続されている下降用押ボタンスイッチ７Ｌaから下限リミットスイッチ４Ｌ1までの回路に対し並列に接続された前記制御用カムスイッチ８4と下降用電磁接触器５Ｌの接点５Ｌa2の直列回路からなる前記制御用カムスイッチ８4がオフするまで前記下降用電磁接触器５Ｌの動作を持続させる回路と、
前記上昇用電磁接触器５Ｒを動作させる回路の直列に接続されている上昇用押ボタンスイッチ７Ｒaから上限リミットスイッチ４Ｒ1までの回路に対し並列に接続された前記制御用カムスイッチ８4と上昇用電磁接触器５Ｒの接点５Ｒa2の直列回路からなる前記制御用カムスイッチ８4がオフするまで前記上昇用電磁接触器５Ｒの動作を持続させる回路とを有し、１個の制御用カムスイッチ８4にてタップ切換動作を満足させるようにしたことを特徴としたタップ切換装置の電動制御回路。
【発明の詳細な説明】
【０００１】
【産業上の利用分野】
本発明は、変圧器類のタップ切換装置の電動制御回路に関する。
【０００２】
【従来の技術】
従来、変圧器類のタップ切換装置の駆動用電動機の制御回路を図４について説明する。
【０００３】
１は減速機等を介して変圧器等のタップを下降方向又は上昇方向に切り換えるタップ切換用電動機で、下限リミットスイッチ４Ｌ2と下降用電磁接触器５Ｌの接点５Ｌa4の直列回路と、上限リミットスイッチ４Ｒ2と上昇用電磁接触器５Ｒの接点５Ｒa4の直列回路を電動機の回転方向を切換するように接続すると共に、手動操作インターロックスイッチ３及び配線用遮断器２を介して三相交流電源ＡＣに接続されている。尚、図中、符号の添字、例えば、ａ１、ａ２は、電磁接触器等の第１のａ接点、第２のａ接点を、ｂ１、ｂ２は、第１のｂ接点、第２のｂ接点を示す。
【０００４】
下降用電磁接触器（コイル）５Ｌは、下降用押ボタンスイッチ７Ｌaと上昇用押ボタンスイッチ７Ｒbの直列回路と自己接点５Ｌa1との並列回路Ａ1に直列に歩進用電磁接触器６の接点６b1と下限リミットスイッチ４Ｌ1を接続した回路Ａと、制御用カムスイッチ８1と自己接点５Ｌa2の直列回路Ｂとの並列回路（Ａ，Ｂ）と直列に上昇用電磁接触器５Ｒの接点５Ｒbを介して電源に接続されている。
【０００５】
同様に、上昇用電磁接触器（コイル）５Ｒは、上昇用押ボタンスイッチ７Ｒaと下降用押ボタンスイッチ７Ｌbの直列回路と自己接点５Ｒa1との並列回路Ａ1
′に直列に歩進用電磁接触器６の接点６b2と上限リミットスイッチ４Ｒ1を接続した回路Ａ′と、制御用カムスイッチ８2と自己接点５Ｒa2の直列回路Ｂ′との並列回路（Ａ′，Ｂ′）と直列に下降用電磁接触器５Ｌの接点５Ｌbを介して電源に接続されている。
【０００６】
また、歩進用電磁接触器（コイル）６は制御用カムスイッチ８3と並列に接続された電磁接触器５Ｌ，５Ｒの接点５Ｌa3，５Ｒa3との直列回路Ｃと、上記並列回路Ａ1と自己接点６a1との直列回路Ｄと、上記並列回路Ａ′と自己接点６a2との直列回路Ｄ′との並列回路（Ｃ，Ｄ，Ｄ′）と直列に接続され、電源に接続されている。
【０００７】
そして、上記並列回路Ａ1及びＡ1′と電磁接触器接点６a1，６b1及び６a2，６b2との接続点にはそれぞれ下降用及び上昇用外部指令が入力するようになっている。また、カムスイッチ８1〜８3はそれぞれ下降又は上昇の１ステップ間において図５に示す範囲でオンするようになっている。上記回路の下降側と上昇側いずれも動作のプロセスは同じなので、以下に下降側回路についての動作を図３を用いて説明する。
【０００８】
先ず、下降用押ボタンスイッチ７Ｌ（７Ｌa，７Ｌb）を押し、スイッチ７Ｌaをオン、７Ｌbをオフさせる。スイッチ７Ｌaのオンにより回路Ａを通じて下降用電磁接触器５Ｌが励磁されて動作し、その接点５Ｌa1のオンにより自己保持される。これにより押ボタンスイッチ７Ｌが短時間で開放されても電磁接触器５Ｌは動作を継続する（図３（ａ），（ｂ））。
【０００９】
電磁接触器５Ｌの接点５Ｌa4のオンにより電動機１が回転し、図示省略のタップ切換装置を下降方向に駆動する。駆動開始後制御用カムスイッチ８1が閉となり（図３（ｃ），（ｄ））、上記自己保持回路に加えてカムスイッチ８1と電磁接触器接点５Ｌa2を通して電磁接触器５Ｌを励磁する回路が形成される。
【００１０】
その後間もなく制御用カムスイッチ８3がオンとなり、電磁接触器接点５Ｌa3を通して歩進用電磁接触器６が励磁され、動作する（図３（ｅ），（ｆ）の実線）。この動作によりその接点６b1がオフする（図３（ｇ）の実線）ので、上記自己保持回路は開路し、カムスイッチ８1側回路Ｂによって電磁接触器５Ｌの動作は継続される。
【００１１】
電動機１が回転を継続し、１タップ分の動作を完了し所定の停止位置の直前でカムスイッチ８1がオフとなる。その結果電磁接触器５Ｌの励磁が解かれ、接点Ｌa1〜Ｌa4，Ｌbはすべて図示状態に復帰する。接点Ｌa4のオフにより電動機１の励磁が解かれ回転が停止しタップ切換動作を完了する。
【００１２】
上記下降用押ボタンスイッチの操作に代えて、下降用外部指令を入力しても上記同様に動作する。
【００１３】
上昇側については、４Ｌを４Ｒに、５Ｌを５Ｒに、７Ｌを７Ｒに、８1を８2の読みかえることで下降側と同様の動作となる。
【００１４】
【発明が解決しようとする課題】
上記図４の制御回路は制御用カムスイッチとして８1〜８3の３ケのカムスイッチを使用している。そのため次のような問題がある。
【００１５】
（１）カムスイッチの取付構造が複雑になる。
【００１６】
（２）各カムスイッチ間の動作タイミングの調整に労力を要する。
【００１７】
（３）制御回路が複雑になる。
【００１８】
本発明は、従来技術の有するこのような問題点に鑑みてなされたものであり、その目的とするところは、タップ上昇，タップ下降，歩進のための制御用カムスイッチが１個で満足な切換動作がなしうる切換装置の電動制御回路を提供することにある。
【００１９】
【課題を解決するための手段】
上記目的を達成するために、本発明におけるタップ切換装置の電動制御回路は、駆動用電動機１をタップ下降方向及び上方向へ回動させる下降用及び上昇用電磁接触器５Ｌ，５Ｒと、制御用カムスイッチ８4により制御され下降用又は上昇用電磁接触器５Ｌ，５Ｒの動作を解除し駆動用電動機１を下降又は上昇の１ステップ位置に停止させる歩進用電磁接触器６とを備えたタップ切換装置の電動制御回路であって、
下降用押ボタンスイッチ７Ｌa、上昇用押ボタンスイッチ７Ｒb、歩進用電磁接触器６の接点６b1、下限リミットスイッチ４Ｌ1、上昇用電磁接触器５Ｒの接点５Ｒb、下降用電磁接触器５Ｌの直列回路からなる下降用電磁接触器５Ｌを動作させる回路と、
前記直列に接続されている下降用押ボタンスイッチ７Ｌaと上昇用押ボタンスイッチ７Ｒbに対し並列に接続された下降用電磁接触器５Ｌの接点５Ｌa1からなる下降用電磁接触器５Ｌの自己保持回路と、
上昇用押ボタンスイッチ７Ｒa、下降用押ボタンスイッチ７Ｌb、歩進用電磁接触器６の接点６b2、上限リミットスイッチ４Ｒ1、下降用電磁接触器５Ｌの接点５Ｌbと上昇用電磁接触器５Ｒの直列回路からなる上昇用電磁接触器５Ｒを動作させる回路と、
前記直列に接続されている上昇用押ボタンスイッチ７Ｒaと下降用押ボタンスイッチ７Ｌbに対し並列に接続された上昇用電磁接触器の接点５Ｒa1からなる上昇用電磁接触器５Ｒの自己保持回路と、
前記制御用カムスイッチ８4、並列に接続された下降用と上昇用電磁接触器５Ｌ，５Ｒの各接点５Ｌa3，５Ｒa3、歩進用電磁接触器６の直列回路からなる歩進用電磁接触器駆動回路と、
前記下降用電磁接触器５Ｌを動作させる回路の直列に接続されている下降用押ボタンスイッチ７Ｌaから下限リミットスイッチ４Ｌ1までの回路に対し並列に接続された前記制御用カムスイッチ８4と下降用電磁接触器５Ｌの接点５Ｌa2の直列回路からなる前記制御用カムスイッチ８4がオフするまで前記下降用電磁接触器５Ｌの動作を持続させる回路と、
前記上昇用電磁接触器５Ｒを動作させる回路の直列に接続されている上昇用押ボタンスイッチ７Ｒaから上限リミットスイッチ４Ｒ1までの回路に対し並列に接続された前記制御用カムスイッチ８4と上昇用電磁接触器５Ｒの接点５Ｒa2の直列回路からなる前記制御用カムスイッチ８4がオフするまで前記上昇用電磁接触器５Ｒの動作を持続させる回路と
を有し、１個の制御用カムスイッチ８4にてタップ切換動作を満足させるようにしたことを特徴とするものである。
【００２０】
【作用】
下降用又は上昇用押ボタンスイッチをオンすると下降用又は上昇用電磁接触器が励磁され自己保持され、その接点により駆動用電動機をタップ下降方向又は上昇方向に回転させる。その回転により制御用カムスイッチがオンすると歩進用電磁接触器が励磁され、そのｂ接点のオフにより前記自己保持が解除されるが、前記制御用カムスイッチのオンにより他の自己接点を介して下降用又は上昇用電磁接触器が励磁される。制御用カムスイッチがオフすると、励磁が解ける。このため、タップが１つ歩進した状態で電動機は停止する。この回路によれば、従来３個必要であった制御カムスイッチが１個でタップ切換動作させることができる。
【００２１】
【実施例】
本発明の実施例について図１〜図３を参照して説明する。
【００２２】
図１はタップ切換装置の電動制御回路を示す。なお、図中従来図４に示したものと同一構成部分は同一符号を付してその重複する説明を省略する。
【００２３】
８4は制御用カムスイッチで、動作タイミングは従来図４におけるカムスイッチ８1，８2と同じくなっており、従来図４におけるカムスイッチ８3に代わりに、並列接続の電磁接触器接点５Ｌa3，５Ｒa3の回路Ｃと直列に接続されている。図２にカムスイッチ８4の動作シーケンスを示す。
【００２４】
また、従来図４における電磁接触器接点５Ｌa2及び５Ｒa2と直列に接続されていたカムスイッチ８1，８2は不用とし、接点５Ｌa2，５Ｒa2へは上記カムスイッチ８4と接点５Ｌa3，５Ｒa3との接続点から接続する。その他の構成は従来図４のものと変わりがない。
【００２５】
次に、この実施例における下降側回路の動作を図３のタイムチャートを用いて説明する。先ず、下降用押ボタンスイッチ７Ｌ（７Ｌa，７Ｌb）を押す（図３（ａ））、これにより回路Ａを介して下降用電磁接触器５Ｌに通電され、その接点５Ｌa1〜５Ｌa4がオンし、その接点５Ｌa1のオンにより電磁接触器５Ｌは自己保持される（図３（ｂ），（Ｃ））。また、接点５Ｌa4のオンにより電動機１が回転しカムスイッチ８4がオンする（図３（ｄ））。
【００２６】
カムスイッチ８4のオンにより接点５Ｌa3を介して歩進用電磁接触器６が励磁され、その接点６b1，６b2接点がオフ（図３（ｆ），（ｇ）の破線）、接点６a1，６a2がオンする。接点６b1のオフにより上記自己保持回路は切れるが、カムスイッチ８4，接点５Ｌa2の回路Ｂにより電磁接触器５Ｌの励磁は持続され、カムスイッチ８4がオフすると、電磁接触器５Ｌの励磁は切れ、その接点５Ｌa1〜５Ｌa4がオフするので、電動機１の回転は停止する。
【００２７】
上記は下降側回路の動作について説明したが、上昇側回路も同様に動作するので、その説明を省略する。
【００２８】
この実施例によれば、歩進用電磁接触器６の動作タイミングが従来図４のものに比し少し変わるが回路の動作上問題はない。
【００２９】
この実施例によれば、カムスイッチが１個で済み、その取付構造が簡単になると共に、動作タイミングの調整が容易となり、回路も簡単になる。
【００３０】
【発明の効果】
本発明によれば、歩進用電磁接触器の動作タイミングが従来のものに比較して多少変わるが、制御用カムスイッチが従来３個必要であったものが、本発明では１個のカムスイッチで従来と同様な動作ができるため、カムスイッチの部品の実数を削減でき、この部品の削減により、取付、組立調整等を簡素化することができる。また、部品の削減により、総合的な信頼性を向上させることができる等の利点が得られる。
【図面の簡単な説明】
【図１】本発明の実施例にかかる駆動電動機制御回路図。
【図２】実施例におけるカムスイッチ動作シーケンスの説明図。
【図３】実施例及び従来例の動作を説明するタイムチャート。
【図４】従来例の駆動電動機制御回路図。
【図５】従来例におけるカムスイッチ動作シーケンスの説明図。
【符号の説明】
１…タップ切換用電動機
２…配線用遮断器
３…手動操作インターロックスイッチ
４Ｌ1，４Ｌ2…下限リミットスイッチ
４Ｒ1，４Ｒ2…上限リミットスイッチ
５Ｌ…下降用電磁接触器（コイル）
５Ｒ…上昇用電磁接触器（コイル）
６…歩進用電磁接触器（コイル）
７Ｌ1，７Ｌ2…下降用押ボタンスイッチ
７Ｒ1，７Ｒ2…上昇用押ボタンスイッチ
８1〜８4…制御用カムスイッチ
【図１】
0003651033.tif 000002
【図２】
0003651033.tif 000003
【図３】
0003651033.tif 000004
【図４】
0003651033.tif 000005
【図５】
0003651033.tif 000006